(57)【特許請求の範囲】
【請求項１】
体液を吸収する吸収体を内包する吸収性本体と、この吸収性本体の外面側に一体的に設けられる外装体とを備え、外装体における腹側部と背側部とが、その両側端の接合部において接合されることにより、ウエスト開口部及び左右一対の脚周り部が形成される吸収性物品であって、
体液との接触により収縮する吸水収縮性を有し、長手方向に沿って前記吸収性本体の前記腹側部から前記背側部にわたって配設される長手方向吸水収縮性材と、前記吸収性本体の前記腹側部及び前記背側部に幅方向に沿って配設される幅方向吸水収縮性材と、を備え、
前記吸収性本体が、前記吸収体と前記外装体との間に前記長手方向吸水収縮性材及び前記幅方向吸水収縮性材を介在させた状態で、前記外装体に全面的に固着されていることを特徴とする吸収性物品。
【請求項２】
前記吸収体が、下層吸収体と、この下層吸収体の上側に配設される上層吸収体からなる二層構造を有し、
前記長手方向吸水収縮性材が、前記腹側部又は前記背側部に一端を固定した状態で前記上層吸収体の長手方向に配設され、この長手方向吸水収縮性材が収縮することにより前記上層吸収体が長手方向に移動することを特徴とする請求項１に記載の吸収性物品。
【請求項３】
体液を吸収する吸収体を内包する吸収性本体と、この吸収性本体の外面側に一体的に設けられる外装体とを備え、外装体における腹側部と背側部とが、その両側端の接合部において接合されることにより、ウエスト開口部及び左右一対の脚周り部が形成される吸収性物品であって、
体液との接触により収縮する吸水収縮性を有し、長手方向に沿って前記吸収性本体の前記腹側部から前記背側部にわたって配設される長手方向吸水収縮性材を備え、
前記吸収性本体が、前記吸収体と前記外装体との間に前記長手方向吸水収縮性材を介在させた状態で、前記外装体に全面的に固着され、
前記吸収体が、下層吸収体と、この下層吸収体の上側に配設される上層吸収体からなる二層構造を有し、
前記長手方向吸水収縮性材が、前記腹側部又は前記背側部に一端を固定した状態で前記上層吸収体の長手方向に配設され、この長手方向吸水収縮性材が収縮することにより前記上層吸収体が長手方向に移動することを特徴とする吸収性物品。
【請求項４】
２つの前記上層吸収体が、前記腹側部と前記背側部の間に形成された股下部に対応する領域に長手方向に近接した状態で並設され、ぞれぞれに配設された前記長手方向吸水収縮性材が収縮することにより両者間が離間されることを特徴とする請求項２又は３に記載の吸収性物品。
【請求項５】
前記長手方向吸水収縮性材が、弾性伸縮性を有することを特徴とする請求項１から４の何れか一項に記載の吸収性物品。
【発明の詳細な説明】
【技術分野】
【０００１】
本発明は、吸収性物品に関する。
【背景技術】
【０００２】
従来、吸収性物品として、パンツ型又はテープ型の使い捨て紙おむつが知られている。一般的な使い捨て紙おむつは、尿などの体液を吸収する吸収体を内包する吸収性本体と、この吸収性本体の外面側に一体的に設けられる外装体とを備えて構成され、外装体における腹側部と背側部とが、その両側端の接合部において接合されることにより、ウエスト開口部及び左右一対の脚周り部が形成される。
このような紙おむつにおいては、着用中の動作（例えば、脚の開閉時、歩行時、立位と座位との間の移行動作など）により、ウエスト部分が大きくズレ下がることがある。この場合、吸収性本体と人体との密着状態が悪くなり、フィット感が損なわれる上、脚周り部から液漏れが生じやすくなってしまう。
そこで、紙おむつの腹側部から背側部にわたって弾性部材を伸張状態で添設することにより、弾性部材の収縮力で吸収性本体が上方に持ち上がり、人体と吸収性本体との密着状態が維持されるようにした紙おむつが提案されている（例えば特許文献１）。
【先行技術文献】
【特許文献】
【０００３】
【特許文献１】特開２００４−３５０８０９号公報
【発明の概要】
【発明が解決しようとする課題】
【０００４】
特許文献１に記載の紙おむつでは、紙おむつがズレ下がったときに吸収性本体が上方に持ち上がる程度の収縮力を付与するために、弾性部材をかなり伸張した状態で添設することとなる。この場合、装着前の紙おむつは弾性部材の収縮力により萎んだ状態となっているため、装着が困難となる。また、着用者が紙おむつを装着中に排尿すると、尿の重みにより吸収性本体が垂れ下がることとなるが、特許文献１のように弾性部材の伸張に伴う収縮力だけで対応するのは容易でない。
【０００５】
本発明は、上記課題を解決するためになされたもので、排尿により人体と吸収性本体との密着状態が悪くなり、フィット感が損なわれるのを効果的に防止できる吸収性物品を提供することを目的とする。
【課題を解決するための手段】
【０００６】
請求項１に記載の発明は、体液を吸収する吸収体を内包する吸収性本体と、この吸収性本体の外面側に一体的に設けられる外装体とを備え、外装体における腹側部と背側部とが、その両側端の接合部において接合されることにより、ウエスト開口部及び左右一対の脚周り部が形成される吸収性物品であって、
体液との接触により収縮する吸水収縮性を有し、長手方向に沿って前記吸収性本体の前記腹側部から前記背側部にわたって配設される長手方向吸水収縮性材と、前記吸収性本体の前記腹側部及び前記背側部に幅方向に沿って配設される幅方向吸水収縮性材と、を備え、
前記吸収性本体が、前記吸収体と前記外装体との間に前記長手方向吸水収縮性材及び前記幅方向吸水収縮性材を介在させた状態で、前記外装体に全面的に固着されていることを特徴とする。
【０００８】
請求項２に記載の発明は、請求項１に記載の吸収性物品において、前記吸収体が、下層吸収体と、この下層吸収体の上側に配設される上層吸収体からなる二層構造を有し、
前記長手方向吸水収縮性材が、前記腹側部又は前記背側部に一端を固定した状態で前記上層吸収体の長手方向に配設され、この長手方向吸水収縮性材が収縮することにより前記上層吸収体が長手方向に移動することを特徴とする。
請求項３に記載の発明は、体液を吸収する吸収体を内包する吸収性本体と、この吸収性本体の外面側に一体的に設けられる外装体とを備え、外装体における腹側部と背側部とが、その両側端の接合部において接合されることにより、ウエスト開口部及び左右一対の脚周り部が形成される吸収性物品であって、
体液との接触により収縮する吸水収縮性を有し、長手方向に沿って前記吸収性本体の前記腹側部から前記背側部にわたって配設される長手方向吸水収縮性材を備え、
前記吸収性本体が、前記吸収体と前記外装体との間に前記長手方向吸水収縮性材を介在させた状態で、前記外装体に全面的に固着され、
前記吸収体が、下層吸収体と、この下層吸収体の上側に配設される上層吸収体からなる二層構造を有し、
前記長手方向吸水収縮性材が、前記腹側部又は前記背側部に一端を固定した状態で前記上層吸収体の長手方向に配設され、この長手方向吸水収縮性材が収縮することにより前記上層吸収体が長手方向に移動することを特徴とする。
【０００９】
請求項４に記載の発明は、請求項２又は３に記載の吸収性物品において、２つの前記上層吸収体が、前記腹側部と前記背側部の間に形成された股下部に対応する領域に長手方向に近接した状態で並設され、それぞれに配設された前記長手方向吸水収縮性材が収縮することにより両者間が離間されることを特徴とする。
【００１０】
請求項５に記載の発明は、請求項１から４の何れか一項に記載の吸収性物品において、前記長手方向吸水収縮性材が、弾性伸縮性を有することを特徴とする。
【発明の効果】
【００１１】
本発明によれば、排尿により人体と吸収性本体との密着状態が悪くなり、フィット感が損なわれるのを効果的に防止できる吸収性物品を提供することができる。
【図面の簡単な説明】
【００１２】
【図１】第１実施形態に係る紙おむつの製品状態を示す外観図である。
【図２】第１実施形態に係る紙おむつの平面展開図である。
【図３】第１実施形態に係る吸収性本体を上側から見た平面図である。
【図４】図２のＡ−Ａ線における断面図である。
【図５】変形例１に係る吸収性本体を上側から見た平面展開図である。
【図６】変形例２に係る吸収性本体を上側から見た平面展開図である。
【図７】第２実施形態に係る吸収性本体を上側から見た平面展開図である。
【図８】図７のＢ−Ｂ線における断面図である。
【図９】図７のＣ−Ｃ線における断面図である。
【図１０】第２実施形態に係る吸収性本体の排尿時の遷移態様を示す図である。
【発明を実施するための形態】
【００１３】
［第１実施形態］
以下、本発明の実施の形態を図面に基づいて詳細に説明する。本実施形態では、発明に係る吸収性物品の一例として、パンツ型の使い捨て紙おむつ（以下、紙おむつ）について説明する。なお、以下の説明では、本実施形態における紙おむつを展開した状態において、装着時に人体（着用者）の腹側に位置する側を前、背側に位置する側を後、着用者と接触する側を上、着用者と接触する側の反対側を下とし、前後方向と上下方向との双方向に直行する方向を左右方向とする。
【００１４】
図１は第１実施形態に係る紙おむつの製品状態を示す外観図で、図２は平面展開図である。図３は吸収性本体を上側から見た平面図であり、図４は図２のＡ−Ａ線における断面図である。
図１〜４に示すように、紙おむつ１は、体液を吸収する吸収体１３（吸収体コア１３１）を内包する吸収性本体１０と、この吸収性本体１０の外面側に一体的に設けられる外装体２０とを備えて構成されている。紙おむつ１においては、吸収性本体１０の外面（バックシート１２の下面）が、例えばホットメルト型の接着剤で外装体２０の内面（着用時に着用者と接触する側の面）に接着されることにより、吸収性本体１０と外装体２０が一体化されている。そして、外装体２０と吸収性本体１０を長手方向（前後方向）略中央で折り曲げるように湾曲させ、外装体２０の前側（腹側部２０Ｆ：着用者の腹部を覆う部分）と後側（背側部２０Ｂ：着用者の背部を覆う部分）の両側端部を重ね合わせて接合することにより、腹側部Ｆ、背側部Ｂ、股下部Ｍ、ウエスト開口部Ｗ、及び左右一対の脚周り部Ｌ、Ｌを有する紙おむつ１が形成される。
【００１５】
外装体２０は、図２に示すように、展開状態において長手方向略中央が括れた外形を有している。外装体２０は、当該外装体２０を形造る外層シート２１と、外層シート２１の内側（肌当接面側）の腹側部Ｆ及び背側部Ｂに貼着される胴周りシート２２を備えている。外層シート２１は、図４に示すように、上層不織布２１ａと下層不織布２１ｂを貼着した構成を有している。
【００１６】
外装体２０の腹側部２０Ｆと背側部２０Ｂにおいて、ウエスト開口部Ｗを形成する端縁近傍領域には、幅方向に沿った複数本のウエスト弾性部材２３、２３・・が前後方向に所定の間隔で並設されている。また、外装体２０の腹側部２０Ｆと背側部２０Ｂにおいて、ウエスト弾性部材２３より股下部２０Ｍ側には、幅方向に沿った複数本の腰周り弾性部材２４、２４・・が前後方向に所定の間隔で並設されている。なお、ウエスト弾性部材２３と腰周り弾性部材２４との境界は必ずしも明確でなくてよい。
紙おむつ１の装着時には、ウエスト弾性部材２３の伸縮力により着用者のウエスト周りが締め付けられ、腰周り弾性部材２４の伸縮力により着用者の腰周り部分が締め付けられる。これにより、紙おむつ１の腹側部Ｆ及び背側部Ｂの全面が着用者に密着する。
【００１７】
また、図示を省略するが、外装体２０の腹側部２０Ｆから股下部２０Ｍにわたる領域及び背側部２０Ｂから股下部２０Ｍにわたる領域には、略Ｕ字形状を有する複数本の脚周り弾性部材が、前後方向に所定の間隔で並設されている。具体的には、脚周り弾性部材（図示略）は、外装体２０の腹側部２０Ｆ又は背側部２０Ｂの一側端から脚周り開口部Ｌを形成する端縁に沿って股下部２０Ｍ側に延び、股下部２０Ｍの幅方向略中央を迂回するようにして腹側部２０Ｆ又は背側部２０Ｂの他側端に到達するように配設されている。紙おむつ１の装着時には、脚周り弾性部材（図示略）の伸縮力により着用者の脚周り及び股下が締め付けられるので、紙おむつ１の股下部Ｍが着用者に密着する。
【００１８】
上述したウエスト弾性部材２３、腰周り弾性部材２４及び脚周り弾性部材（図示略）は、外力の付加又は除去に応じて変形する弾性伸縮材で構成される。弾性伸縮材としては、例えば、スチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。
ウエスト弾性部材２３、腰周り弾性部材２４又は脚周り弾性部材（図示略）を糸状の弾性伸縮材（いわゆる糸ゴム）で構成する場合は、太さ６２０ｄｔｅｘ以下のものを利用することが好ましい。なお、ウエスト弾性部材２３、腰周り弾性部材２４又は脚周り弾性部材（図示略）として、糸状の弾性伸縮材の代わりに、ある程度の幅を有するテープ状の弾性伸縮部材を用いるようにしてもよい。
【００１９】
吸収性本体１０は、図２、３に示すように、略矩形状の外形を有し、当該吸収性本体１０よりも幅広に形成された外装体２０の股下部２０Ｍに、腹側部２０Ｆから背側部２０Ｂにわたって配設されている。吸収性本体１０は、装着時に着用者との接触面側（上側）となるトップシート１１、装着時に着用者との接触面と反対側（下側）となるバックシート１２、トップシート１１とバックシート１２との間に介装される吸収体１３、吸収体１３の幅方向両側に長手方向（前後方向）に沿って設けられる一対のギャザーシート１４、１４等を備えて構成される。
【００２０】
トップシート１１は、尿などの体液を速やかに透過させる透液性を有するシートであり、吸収体１３の上側を覆うように配設されている。透液性を有するシートとしては、例えば、ナイロン、ポリエチレンテレフタレート等の糸を平織り等したネット状のシート素材、多数の透孔を形成した多孔性シート材、ポリエチレンやポリプロピレンなどのフィルムシート材、透液性を有する織布、不織布等がある。特に、トップシート１１には不織布が適しており、ポリエチレンやポリプロピレンなどのオレフィン系、ポリエステル系、ポリアミド系等の合成繊維、レーヨンやキュプラなどの再生繊維、又は綿等の天然繊維を繊維素材として、スパンレース法、スパンボンド法、サーマルボンド法、メルトブローン法、ニードルパンチ法等の適宜の加工法によって加工した不織布を用いることができる。
【００２１】
バックシート１２は、体液が紙おむつ１の外部へ染み出したり、漏れ出したりするのを防ぐ不透液性（遮水性）を有するシートであり、吸収体１３の下側を覆うように配設されている。不透液性を有するシートとしては、例えば、ポリエチレンやポリプロピレン等からなるシート材がある。
また、バックシート１２は、ムレ防止の観点から透湿性を有することが好ましい。遮水性と透湿性とを具備するシート材としては、例えば、ポリエチレンやポリプロピレンなどのオレフィン系樹脂中に無機充填剤を溶媒混練してシートを成形した後、一軸又は二軸方向に延伸することにより得られる微多孔性シート材が好適に用いられる。また、その他にも、ポリエチレン等からなる遮水性を有するフィルムシートに、透湿性を有する不織布を積層したラミネート不織布を用いることができる。
バックシート１２としては、排便や尿などの褐色が視認しにくいように不透明なものを用いることが好ましい。例えば、オレフィン樹脂やプラスチック中に、炭酸カルシウム、酸化チタン、酸化亜鉛、ホワイトカーボン、クレイ、タルク、硫酸バリウムなどの顔料や充填材を添加してフィルム化することにより、バックシート１２を不透明化することができる。
【００２２】
ギャザーシート１４、１４は、体液が横漏れするのを防止するためのシート（例えば不織布）であり、トップシート１１側において、吸収体１３の幅方向両側に長手方向（前後方向）に沿って配設されている。ギャザーシート１４には、トップシート１１と同様の素材を用いることができるが、特に、ムレを防止するために秤量を抑えて通気性に優れた不織布を用いることが好ましい。さらに、ギャザーシート１４には、尿などの透過を防止するとともに、カブレを防止し且つ肌への感触性（ドライ感）を高めるために、シリコン系、パラフィン金属系、アルキルクロミッククロイド系撥水材などをコーティングした撥水処理不織布を用いてもよい。
【００２３】
ギャザーシート１４は、図４に示すように、幅方向に二つ折りされてその基端部にてバックシート１２の側縁部を挟みこみ、折り合わされた面が、例えば、ホットメルトや、ヒートシール、超音波シール等により固着されている。また、折り返しによって二重にされたギャザーシート１４の基端部の上面側には、トップシート１１の側縁部が接着されている。
ギャザーシート１４の折り返し部位には、長手方向（前後方向）に沿って複数本の立体ギャザー用弾性部材１５が配設されている。この立体ギャザー用弾性部材１５には、外装体２０のウエスト弾性部材２３等に用いられる弾性伸縮材と同様の素材を用いることができる。立体ギャザー用弾性部材１５を糸状の弾性伸縮材（いわゆる糸ゴム）で構成する場合は、太さ３００〜１２００ｄｔｅｘ以下のものを、１５０〜３５０％伸張させた状態で配設するのが好ましい。なお、立体ギャザー用弾性部材１５として、糸状の弾性伸縮材の代わりに、ある程度の幅を有するテープ状の弾性伸縮材を用いるようにしてもよい。
ギャザーシート１４の折り返し部位は、ギャザーシート１４が起立できるように自由端となっており、吸収性本体１０の内側に向けて折り畳まれている。ギャザーシート１４が折り畳み部を基端に起立することにより、着用者の体型に合わせて伸縮自在に変形可能な一対の立体ギャザーが形成される。
【００２４】
図３、４に示すように、吸収体１３は、例えば、平面視略砂時計形状を有するように成形されており、その幅寸法は着用者の身体に当たる際にゴワ付き感を与えないサイズとなっている。吸収体１３は、綿やパルプなどの吸収性素材に高吸収性ポリマーを混入してなる吸収体コア１３１が、透液性のクレープ紙１３２により覆われて構成されている。なお、吸収体１３においては、クレープ紙１３２に代えて、透液性の不織布や多孔性シート材で吸収体コア１３１を覆うようにしてもよい。
吸収体コア１３１を構成する高吸収性ポリマーとしては、カルボキシメチルセルロース、ポリアクリル酸及びその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、或いはイソブチレンとマレイン酸との共重合体等が好適に用いられる。
【００２５】
本実施形態では、体液との接触により収縮する吸水収縮性材からなる長手方向収縮部材１６が、吸収体１３（クレープ紙１３２）とバックシート１２の間に長手方向に沿って３本配設されている。長手方向収縮部材１６は、例えばホットメルト型の接着剤によりクレープ紙１３２に対して全長にわたって接着されている。
なお、長手方向収縮部材１６を、クレープ紙１３２とバックシート１２の間ではなく、バックシート１２の下面（バックシート１２と外装体２０の間）に配設するようにしてもよい。
【００２６】
長手方向収縮部材１６には、ポリビニルアルコール系長繊維を複数本引き揃えてなる収縮糸や、セルロース系短繊維を紡績し、これをカルボキシメチル化した後に強撚してなる収縮糸を好適に使用できる。具体的には、特公平６−１０２０６８号公報、特許第２６５６２４５号公報に開示されているものや、市販のものとしては、株式会社ニチビの商品名「ソルブロン」を用いることができ、太さは５００〜１６００ｄｔｅｘのものが好適である。吸水収縮性材としては、横断面円形や四角形の糸状のものや、又はシート状、フィルム状若しくは網状のものなど、あらゆる形状のものを用いることができる。吸水収縮性材は１本あたり１０〜２０Ｎ以上の体液吸収時収縮力を有しているのが好ましい。
【００２７】
このように、第１実施形態の紙おむつ１では、体液との接触により収縮する吸水収縮性材（長手方向収縮部材）１６が、長手方向に沿って吸収性本体１０の腹側部１０Ｆから背側部１０Ｂにわたって配設されている。また、吸収性本体１０が、吸収体１３と外装体２０との間に吸水収縮性材（長手方向収縮部材）１６を介在させた状態で、外装体２０に全面的に固着されている。
【００２８】
紙おむつ１において、トップシート１１、クレープ紙１３２を透過した尿等の体液は、吸収体コア１３１に浸透して吸収、保持される。また、吸収体コア１３１から染み出した体液は、クレープ紙１３２を透過して長手方向収縮部材１６に到達する。
このとき、長手方向収縮部材１６は、吸水収縮性を有しているので、長手方向に収縮する。そして、長手方向収縮部材１６が収縮すると、外装体２０に全面的に接着された吸収性本体１０が長手方向に圧縮されるので、紙おむつ１の股下部Ｍが上方に持ち上がる。すなわち、排尿後の吸収体１３の重みにより紙おむつ１がズレ落ちることはなく、また吸収体１３が凹凸形状に変形するので、着用者との密着状態（フィット性）も維持される。
したがって、紙おむつ１によれば、排尿により人体と吸収性本体との密着状態が悪くなり、フィット感が損なわれるのを効果的に防止することができる。また、吸収体１３が長手方向中央に寄ってくるので、排尿口に位置する吸収体１３が新たに更新されることとなり、吸収体１３の吸収性能も保持される。
【００２９】
［変形例１］
図５は、変形例１に係る吸収性本体１０を上側から見た平面展開図である。
変形例１の吸収性本体１０では、吸収性本体１０の腹側部１０Ｆ及び背側部１０Ｂのそれぞれに、幅方向に沿って複数本の幅方向収縮部材１７Ｆ、１７Ｂが配設されている。この幅方向収縮部材１７Ｆ、１７Ｂは、長手方向収縮部材１６と同様に、体液との接触により収縮する吸水収縮性材で構成されている。幅方向収縮部材１７Ｆ、１７Ｂは、例えばホットメルト型の接着剤によりクレープ紙１３２に対して全長にわたって接着されている。すなわち、変形例１の吸収性本体１０では、腹側部１０Ｆ及び背側部１０Ｂにおいて、吸水収縮性材が格子状に配設されている。
【００３０】
変形例１に係る紙おむつ１によれば、吸収性本体１０の腹側部１０Ｆ又は背側部１０Ｂに浸透した体液は、長手方向及び幅方向に効率よく拡散されるので、吸収体１３全体が有効利用される。また、幅方向収縮部材１７Ｆ、１７Ｂが収縮することにより、着用者の胴周りがが締め付けられるので、紙おむつ１のズレ落ちを効果的に防止することができる。
【００３１】
［変形例２］
図６は、変形例２に係る吸収性本体１０を上側から見た平面展開図である。
変形例２の吸収性本体１０では、変形例１の吸収性本体１０に加えて、吸収性本体１０の股下部１０Ｍに、幅方向に沿って複数本の幅方向収縮部材１７Ｍが配設されている。この幅方向収縮部材１７Ｍも、長手方向収縮部材１６と同様に、体液との接触により収縮する吸水収縮性材で構成され、例えばホットメルト型の接着剤によりクレープ紙１３２に対して全長にわたって接着されている。すなわち、変形例２の吸収性本体１０では、腹側部１０Ｆ、背側部１０Ｂ、及び股下部１０Ｍにおいて、吸水収縮性材が格子状に配設されている。
【００３２】
変形例２に係る紙おむつ１によれば、吸収性本体１０の股下部１０Ｍに浸透した体液が、長手方向及び幅方向に効率よく拡散されるので、吸収体１３全体がいっそう有効利用される。また、幅方向収縮部材１７Ｍが収縮することにより、吸収性本体１０の側部に配設された長手方向収縮部材１６にも体液が接触しやすくなるため、排尿後の重みによる紙おむつ１のズレ落ちを瞬時に解消することができる。この場合、紙おむつ１の股下部Ｍが過度に圧縮されて着用者に違和感を与えることがないように、幅方向収縮部材１７Ｍによる収縮力を適宜調整するのが望ましい。
【００３３】
［第２実施形態］
図７は、第２実施形態に係る吸収性本体３０を上側から見た平面展開図である。図８は図７のＢ−Ｂ線における断面図で、図９は図７のＣ−Ｃ線における断面図である。なお、第１実施形態の吸収性本体１０と同一又は対応する構成要素については、先頭数字を３に置き換えた符号を付している。
図７〜９に示すように、第２実施形態では、吸収体３３の吸収体コア３３１が、下層吸収体３３１Ａと、この下層吸収体３３１Ａの上側に配設される上層吸収体３３１Ｂからなる二層構造を有している。
【００３４】
下層吸収体３３１Ａは、吸収性本体３０の長手方向略全域に配設されている。第２実施形態の吸収性本体３０においても、第１実施形態の吸収性本体１０と同様に、吸水収縮性を有する長手方向収縮部材３６が、吸収体３３（クレープ紙３３２）とバックシート３２の間に長手方向に沿って３本配設されている。
【００３５】
上層吸収体３３１Ｂは、２つの吸収体で構成されており、吸収性本体３０の長手方向略中央、すなわち股下部３０Ｍに対応する領域に長手方向に近接した状態で並設されている。以下において、吸収性本体３０の腹側部３０Ｆ側に配設された上層吸収体３３１Ｂを第１上層吸収体、背側部３０Ｂ側に配設された上層吸収体３３１Ｂを第２上層吸収体と称する。
【００３６】
第１上層吸収体３３１Ｂには、吸水収縮性を有する２本の長手方向収縮部材３８が、腹側部３０Ｆに一端を固定した状態で長手方向に沿って配設されている。具体的には、長手方向収縮部材３８は、第１上層吸収体３３１Ｂに対して巻回された状態で接着され、屈曲部が第１上層吸収体３３１Ｂの側壁に当接し、他端部が吸収性本体３０の腹側部３０Ｆに固着されている。第２上層吸収体３３１Ｂにも同様に、吸水収縮性を有する２本の長手方向収縮部材３８が、背側部３０Ｂに一端を固定した状態で長手方向に沿って配設されている。つまり、第１上層吸収体３３１Ｂ、第２上層吸収体３３１Ｂは、長手方向収縮部材３８，３９の収縮に伴い、長手方向に移動可能となっている。
【００３７】
このように、第２実施形態では、吸収体３３（吸収体コア３３１）が、吸収性本体３０の長手方向略全域に配設される下層吸収体３３１Ａと、この下層吸収体３３１Ａの上側に配設される上層吸収体３３１Ｂからなる二層構造を有している。そして、吸水収縮性材（長手方向収縮部材）３８、３９が、腹側部３０Ｆ又は背側部３０Ｂに一端を固定した状態で上層吸収体３３１Ｂの長手方向に配設され、この吸水収縮性材（長手方向収縮部材）３８、３９が収縮することにより上層吸収体３３１Ｂが長手方向に移動するようになっている。
具体的には、２つの上層吸収体（第１上層吸収体、第２上層吸収体）３３１Ｂ、３３１Ｂが、腹側部３０Ｆと背側部３０Ｂの間に形成された股下部３０Ｍに対応する領域に長手方向に近接した状態で並設され、それぞれに配設された吸水収縮性材（長手方向収縮部材）３８、３９が収縮することにより両者間が離間されるようになっている。
【００３８】
図１０（ａ）に示すように、第２実施形態の紙おむつ１において、トップシート１１、クレープ紙１３２を透過した尿等の体液は、上層吸収体３３１Ｂ、３３１Ｂに浸透して吸収、保持される。このとき、第１上層吸収体３３１Ｂに体液が浸透すると、長手方向収縮部材３８が長手方向に収縮することにより、第１上層吸収体３３１Ｂが徐々に腹側部３０Ｆ側に移動する。同様に、第２上層吸収体３３１Ｂに体液が浸透すると、長手方向収縮部材３９が長手方向に収縮することにより、第２上層吸収体３３１Ｂが徐々に背側部３０Ｂ側に移動する。つまり、排尿時には、第１上層吸収体３３１Ｂと第２上層吸収体３３１Ｂとの間が徐々に離間される。
【００３９】
その後の排尿時には、図１０（ｂ）に示すように、体液が直接下層吸収体３３１Ｂに浸透して吸収、保持されることとなる。そして、下層吸収体３３１Ａから染み出した体液は、クレープ紙３３２を透過して長手方向収縮部材３６に到達する。このとき、長手方向収縮部材３６は、吸水収縮性を有しているので、長手方向に収縮する。そして、長手方向収縮部材３６が収縮すると、外装体２０に全面的に接着された吸収性本体３０が長手方向に圧縮されるので、紙おむつ１の股下部Ｍが上方に持ち上げられる。すなわち、排尿後の吸収体３３の重みにより紙おむつ１がズレ落ちることはなく、また吸収体３３が凹凸形状に変形するので、着用者との密着状態（フィット性）も維持される。
【００４０】
したがって、紙おむつ１によれば、排尿により人体と吸収性本体との密着状態が悪くなり、フィット感が損なわれるのを効果的に防止することができる。また、吸収体１３が長手方向中央に寄ってくるので、排尿口に位置する吸収体１３が新たに更新されることとなり、吸収体１３の吸収性能も保持される。
さらに、吸収体３３（吸収体コア３３１）を下層吸収体３３１Ａと上層吸収体３３１Ｂの二層構造とし、体液の浸透に伴い上層吸収体３３１Ｂが移動して下層吸収体３３１Ａが排尿口側に露呈されるようになっているので、吸収体３３の吸収性能を向上することができる。
【００４１】
以上、本発明者によってなされた発明を実施形態に基づいて具体的に説明したが、本発明は上記実施形態に限定されるものではなく、その要旨を逸脱しない範囲で変更可能である。
例えば、第１実施形態において、吸収性本体１０の全面に吸水収縮性材を格子状に配設するようにしてもよい。これにより、吸収体１３に浸透した体液が効率よく拡散されるので、吸収体１３全体を有効利用することができる。
また、第２実施形態において、第１実施形態の変形例１、２を適用して吸水収縮性材を部分的に格子状に配設するようにしてもよいし、吸水収縮性材を吸収性本体３０の全面に格子状に配設するようにしてもよい。
また、第１、第２実施形態において、吸水収縮性材を格子状に配設する場合、斜め方向に配設するようにしてもよい。
【００４２】
また、長手方向収縮部材１６、３６等を構成する吸水収縮性材として、弾性伸縮性を有する素材を適用することで、着用者とのフィット性を向上することができる。
さらに、第１、第２実施形態で示した吸水収縮性材の配置態様（本数、間隔）は一例であり、全体として紙おむつ１のズレ落ちを防止しうる収縮力が発揮されるように、適宜に設計される。
【００４３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４４】
１０  吸収性本体
１１  トップシート
１２  バックシート
１３  吸収体
１３１  吸収体コア
１３２  クレープ紙
１４  ギャザーシート
１５  立体ギャザー用弾性部材
１６  長手方向収縮部材（吸水収縮性材）
２０  外装体
２１  外層シート
２１ａ  上層不織布
２１ｂ  下層不織布
２２  胴周りシート
２３  ウエスト弾性部材
２４  腰周り弾性部材
【図１】
0005711492.tif 000002
【図２】
0005711492.tif 000003
【図３】
0005711492.tif 000004
【図４】
0005711492.tif 000005
【図５】
0005711492.tif 000006
【図６】
0005711492.tif 000007
【図７】
0005711492.tif 000008
【図８】
0005711492.tif 000009
【図９】
0005711492.tif 000010
【図１０】
0005711492.tif 000011